(57)【要約】【課題】  表示させていたコンテンツが他人に容易に見られてしまうことを防止すること。【解決手段】  コンテンツを記憶性表示体に表示させる表示装置であって、表示装置１９の温度が動作保証温度範囲外となるときに、電気泳動表示体２０の表示状態をコンテンツの閲覧が困難な表示状態とするようにした。  この構成によれば、例えば、コンテンツを表示させているときに、表示装置１９の温度が動作保証温度範囲外となると、電気泳動表示体２０の表示状態が閲覧困難な表示状態とされる。そのため、表示装置１９の温度が動作保証範囲外となり、電気泳動表示体２０の表示状態を変更できなくなったとしても、表示させていたコンテンツが他人に容易に見られてしまうことを防止することができる。【選択図】    図２
2005215498.tif 000002
【特許請求の範囲】
【請求項１】
コンテンツを記憶性表示体に表示させる表示装置であって、前記記憶性表示体の温度を検出する温度検出手段と、その検出された温度が、前記記憶性表示体が適切に動作する範囲外と設定された温度となるときに前記記憶性表示体の表示状態をコンテンツの閲覧が困難な表示状態とする第１表示状態制御手段とを備えたことを特徴とする表示装置。
【請求項２】
コンテンツを記憶性表示体に表示させる表示装置であって、前記記憶性表示体にコンテンツが表示されてからの経過時間を検出する経過時間検出手段と、その検出された経過時間が所定時間より大きいときに、前記記憶性表示体の表示状態をコンテンツの閲覧が困難な表示状態とする第２表示状態制御手段とを備えたことを特徴とする表示装置。
【請求項３】
コンテンツを記憶性表示体に表示させる表示装置であって、利用者の操作によって前記記憶性表示体の表示状態をコンテンツの閲覧が困難な表示状態とすることが可能な第３表示状態制御手段とを備えたことを特徴とする表示装置。
【請求項４】
コンテンツを記憶性表示体に表示させる折り畳み型の表示装置であって、表示装置が折り畳まれていることを検出する折り畳み検出手段と、表示装置が折り畳まれていることが検出されると前記記憶性表示体の表示状態をコンテンツの閲覧が困難な表示状態とする第４表示状態制御手段とを備えたことを特徴とする表示装置。
【請求項５】
所定のネットワークからコンテンツを取得し、その取得されたコンテンツを記憶性表示体に表示可能な表示装置であって、前記取得されたコンテンツを表示させているときに、前記所定のネットワークとの通信が切断されたことを検出する切断検出手段と、前記所定のネットワークとの通信が切断されたことが検出されると、前記記憶性表示体の表示状態をコンテンツの閲覧が困難な表示状態とする第５表示状態制御手段とを備えたことを特徴とする表示装置。
【発明の詳細な説明】
【技術分野】
【０００１】
本発明は、コンテンツを記憶性表示体に表示させる表示装置に関する。
【背景技術】
【０００２】
従来、この種の表示装置としては、例えば、電子書籍等のコンテンツをコレステリック液晶や電気泳動型表示体等の記憶性表示体に表示させ、その表示させたコンテンツを利用者に閲覧させる表示装置が知られている（例えば、特許文献１参照）。
【特許文献１】特開平１１−２７１７９９号公報
【発明の開示】
【発明が解決しようとする課題】
【０００３】
しかしながら、上記従来の技術にあっては、コンテンツを記憶性表示体、つまり電力の供給がなくなってもそれまでの表示内容をそのまま表示し続ける表示体に表示させるようになっているため、秘密にしておきたい文書や画像のコンテンツであっても、表示させていたコンテンツが他人に見られてしまう恐れがあった。
【０００４】
そこで本発明は、上記従来の技術の未解決の問題点を解決することを目的とするものであって、表示させていたコンテンツが他人に容易に見られてしまうことを防止することができる表示装置を提供することを課題とする。
【課題を解決するための手段】
【０００５】
上記課題を解決するため、第１の発明である表示装置は、コンテンツを記憶性表示体に表示させる表示装置であって、前記記憶性表示体の温度を検出する温度検出手段と、その検出された温度が、前記記憶性表示体が適切に動作する範囲外と設定された温度となるときに前記記憶性表示体の表示状態をコンテンツの閲覧が困難な表示状態とする第１表示状態制御手段とを備えたことを特徴とする。
【０００６】
この第１の発明によれば、例えば、コンテンツを表示させているときに、表示装置の温度が、記憶正表示体が適切に動作する範囲外と設定された温度となると、記憶性表示体の表示状態が閲覧困難な表示状態とされる。そのため、表示装置の温度が前記範囲外となり、記憶性表示体の表示状態を変更できなくなったとしても、表示させていたコンテンツが他人に容易に見られてしまうことを防止することができる。
【０００７】
また、第２の発明である表示装置は、コンテンツを記憶性表示体に表示させる表示装置であって、前記記憶性表示体にコンテンツが表示されてからの経過時間を検出する経過時間検出手段と、その検出された経過時間が所定時間より大きいときに、前記記憶性表示体の表示状態をコンテンツの閲覧が困難な表示状態とする第２表示状態制御手段とを備えたことを特徴とする。
【０００８】
この第２の発明によれば、例えば、コンテンツを表示させているときに、コンテンツが表示されてからの経過時間が所定時間より大きくなると、記憶性表示体の表示状態が閲覧困難な表示状態とされる。そのため、コンテンツを表示させた状態で、表示装置を放置しておいたとしても、表示させていたコンテンツが他人に容易に見られてしまうことを防止することができる。
【０００９】
さらに、第３の発明である表示装置は、コンテンツを記憶性表示体に表示させる表示装置であって、利用者の操作によって前記記憶性表示体の表示状態をコンテンツの閲覧が困難な表示状態とすることが可能な第３表示状態制御手段とを備えたことを特徴とする。
【００１０】
この第３の発明によれば、例えば、コンテンツを表示させているときに、利用者が操作することによって、記憶性表示体の表示状態を閲覧困難な表示状態とすることができる。そのため、任意のタイミングで表示状態を変更することができ、表示させていたコンテンツが他人に容易に見られてしまうことを防止することができる。
【００１１】
さらに、第４の発明である表示装置は、コンテンツを記憶性表示体に表示させる折り畳み型の表示装置であって、表示装置が折り畳まれていることを検出する折り畳み検出手段と、表示装置が折り畳まれていることが検出されると前記記憶性表示体の表示状態をコンテンツの閲覧が困難な表示状態とする第４表示状態制御手段とを備えたことを特徴とする。
【００１２】
この第４の発明によれば、例えば、コンテンツを表示させているときに、表示装置が折り畳まれると、記憶性表示体の表示状態が閲覧困難な表示状態とされ、表示させていたコンテンツが他人に容易に見られてしまうことを防止することができる。
【００１３】
また、第５の発明である表示装置は、所定のネットワークからコンテンツを取得し、その取得されたコンテンツを記憶性表示体に表示可能な表示装置であって、前記取得されたコンテンツを表示させているときに、前記所定のネットワークとの通信が切断されたことを検出する切断検出手段と、前記所定のネットワークとの通信が切断されたことが検出されると、前記記憶性表示体の表示状態をコンテンツの閲覧が困難な表示状態とする第５表示状態制御手段とを備えたことを特徴とする。
【００１４】
この第５の発明によれば、例えば、コンテンツをネットワークから取得し、その取得されたコンテンツを表示させているときに、ネットワークとの通信が切断されると、記憶性表示体の表示状態が閲覧困難な表示状態とされ、表示させていたコンテンツが他人に容易に見られてしまうことを防止することができる。
【発明を実施するための最良の形態】
【００１５】
以下、本発明に係る画像表示装置として、所定のページに区切られた電子ブックのコンテンツを閲覧するための電子ブックリーダの実施形態を図面に基づいて説明する。
【００１６】
図１は、本発明の一実施形態の外形を示す概略構成図である。この図１に示すように、電子ブックリーダ１は、中央部で折り畳み可能であって、後述する表示装置１９を左右に配して第１及び第２の表示装置１９1,2を構成している。そして、それら第１及び第２の表示装置１９1,2によって、通常の書籍と同様のページ配置でコンテンツを表示可能に構成されている。
【００１７】
図２は、本発明の一実施形態の内部構成を示すブロック図である。この図２に示すように、電子ブックリーダ１は、ＣＰＵ（Central Processing Unit）２、ＲＡＭ（Random Access Memory）３、ＲＯＭ(Read Only Memory)４、ページ送りボタン５、ページ戻しボタン６及び表示リセットボタン７が接続されたＩ／Ｏ(Input Output)８、折り畳み状態検出回路９、無線通信装置１０が接続された通信制御部１１、温度検出回路１２、ＶＲＡＭ（Video Ram）１７、ディスプレイコントローラ１８、表示装置１９1,2、タッチパネル２３1,2が接続されたタッチパネルＩ／Ｏ２４及びカウンタ回路２５が接続されたカウンタ時間比較回路２６、電源制御回路２７で構成され、ページ送りボタン５、ページ戻しボタン６、表示リセットボタン７、無線通信装置１０、表示装置１９1,2、タッチパネル２３1,2及びカウンタ回路２５を除く各部はバス２８で互いに接続されている。
【００１８】
これらのうちＣＰＵ２は、ＲＯＭ４に格納された基本制御プログラムやアプリケーションプログラム等の各種プログラム及びデータを読み込み、それら各種プログラム及びデータをＲＡＭ３内に設けられるワークエリアに展開実行して、電子ブックリーダ１が備える各部の制御を実行する。なお、ＣＰＵ２は、無線通信装置１０が外部のネットワークとの通信を確立しているときには、そのネットワークからコンテンツのデータを取得するためのコンテンツ取得要求を通信制御部１１に出力可能に構成されている。
【００１９】
また、ＣＰＵ２は、Ｉ／Ｏ８からページ送り信号（後述）が出力されると、表示装置１９に表示されているコンテンツの次ページのコンテンツの画像データ（以下、ラスタデータとも呼ぶ。）を生成し、そのラスタデータをＶＲＡＭ１７に格納させる。また同様に、ＣＰＵ２は、Ｉ／Ｏ８からページ戻し信号（後述）が出力されると、表示装置１９に表示されているコンテンツの前ページのコンテンツのラスタデータを生成し、そのラスタデータをＶＲＡＭ１７に格納させる。
【００２０】
さらに、ＣＰＵ２は、次ページのコンテンツあるいは、前ページのコンテンツを表示させるための操作が行われたときに、後述するコンテンツ時間消去処理を実行する。そして、そのコンテンツを表示装置１９に表示させ、コンテンツが表示されてからの経過時間が所定時間より大きくなると、コンテンツを閲覧不可能とする画像を表示装置１９に表示させる。
【００２１】
また、ＣＰＵ２は、コンテンツを閲覧不可能とする画像として、任意の画像を表示させるか否かを利用者に選択させる処理を実行する。そして、任意の画像を表示させることが選択されると、その画像を選択させる処理を実行する。そして、「画面消去状態」という文字列の画像や、予めＲＡＭ３に格納されている写真の画像等が選択されると、その選択された画像のラスタデータを生成し、そのラスタデータをＶＲＡＭ１７の特定領域に格納させる。
【００２２】
また、ＲＡＭ３は、ＣＰＵ２が各種プログラムに従って上記処理を実行するときに、各種プログラムを展開するワークエリアを形成すると共に、ＣＰＵ２により実行される各種処理に係るデータを展開するためのメモリ領域を形成する。
【００２３】
さらに、ＲＯＭ４は、ＣＰＵ２により実行される基本制御プログラム、各種アプリケーションプログラム及びこれら各プログラムに係るデータ等を格納する。そして、ＲＯＭ４は、ＣＰＵ２からの読み出し要求に従って、それら各種プログラムやデータをＣＰＵ２に出力する。なお、ＲＯＭ４内の各種プログラム及びデータは、いずれもＣＰＵ２により 読み取り及び実行可能な形式で格納されている。
【００２４】
また、Ｉ／Ｏ８は、次ページのコンテンツを表示装置１９に切換表示させるためのページ送りボタン５、前ページのコンテンツを表示装置１９に切換表示させるためのページ戻しボタン６及びコンテンツを閲覧不可能な表示状態とするための表示リセットボタン７が接続されている。そして、ページ送りボタン５が押下操作されるとページ送り信号をＣＰＵ２に出力し、ページ戻しボタン６が押下操作されるとページ戻し信号をＣＰＵ２に出力する。また、表示リセットボタン７が押下操作されると、ディスプレイコントローラ１８に表示リセット信号を出力する。
【００２５】
また、折り畳み状態検出回路９は、電子ブックリーダ１が折り畳まれていることを検出する。そして、電子ブックリーダ１が折り畳まれていることが検出されると、ディスプレイコントローラ１８に表示リセット信号を出力する。折り畳み状態検出回路９としては、第１及び第２の表示装置１９1,2の表示画面が互いに接触したことを検出するタッチセンサを用いたものや、第１及び第２の表示装置１９1,2の表示画面に、光が全く入らなくなったことを検出する受光センサで実現する方法が考えられる。
【００２６】
また、通信制御部１１は、無線によって外部のネットワークとの通信を確立可能な無線通信装置１０が接続されている。そして、ＣＰＵ２からのコンテンツ取得要求に従って、外部のネットワークからコンテンツのデータを取得し、そのコンテンツのデータをＲＡＭ３に格納する。また、その取得されたコンテンツが電気泳動表示体２０に表示されているときに、外部のネットワークとの通信が切断状態とされると、ディスプレイコントローラ１８に表示リセット信号を出力する。
【００２７】
さらに、温度検出回路１２は、図３に示すように、電圧温度変換部１３、内部ＲＯＭ１４及び比較回路１５で構成される。
【００２８】
これらのうち電圧温度変換部１３は、表示装置１９の近傍に配されているサーミスタ１６の出力電圧を検出する。そして、その検出された出力電圧に基づいて表示装置１９の温度を算出し、その算出された温度を比較回路１５に出力する。
【００２９】
また、内部ＲＯＭ１４は、表示装置１９の動作保証温度範囲のデータ（以下、保証範囲データとも呼ぶ。）を格納する。そして、内部ＲＯＭ１４は、読み出し要求に従って、保証範囲データを比較回路１５に出力する。なお、内部ＲＯＭ１４内の保証範囲データは、いずれも比較回路１５により読み取り可能な形式で格納されている。
【００３０】
さらに、比較回路１５は、内部ＲＯＭ１４に格納されている保証範囲データを読み出し、その保証範囲データを参照し、電圧温度変換部１３で検出された温度が表示装置１９の動作保証温度範囲外であるか否かを判定する後述するコンテンツ温度消去処理を実行する。そして、動作保証範囲外である場合には、ディスプレイコントローラ１８に表示リセット信号を出力し、動作保証範囲内にある場合には、表示リセット信号の出力を禁止する。
【００３１】
さらに、ＶＲＡＭ１７は、ＣＰＵ２からの書き込み要求に従って、ラスタデータを格納すると共に、ディスプレイコントローラ１８からの読み出し要求に従って、そのラスタデータをディスプレイコントローラ１８に出力する。なお、ＶＲＡＭ１７は、ＦｅＲＡＭ(Ferroelectric Random Access Memory)やＭＲＡＭ(Magnetoresistive random access memory)等の不揮発性ＲＡＭで構成されているものとする。
【００３２】
また、ディスプレイコントローラ１８は、ＶＲＡＭ１７に格納されているラスタデータを読み出し、その読み出されたラスタデータに基づいてゲートドライバ駆動用データ及びソースドライバ駆動用データを生成する。そして、その生成されたゲートドライバ駆動用データ及びソースドライバ駆動用データを表示装置１９のゲートドライバ２１及びソースドライバ２２（後述）に分配出力する。また、ディスプレイコントローラ１８は、それらの分配出力が完了すると、ＣＰＵ２に表示完了信号を出力する。
【００３３】
また、ディスプレイコントローラ１８は、ＣＰＵ２や温度検出回路１２から表示リセット信号が出力されると、ＶＲＡＭ１７の特定領域にラスタデータが格納されているか否かを判定する。そして、ラスタデータが格納されている場合には、そのラスタデータに基づいてゲートドライバ駆動用データ及びソースドライバ駆動用データを生成する。また、ラスタデータが格納されていない場合には、表示装置１９の表示面が一色で塗りつぶされるようにゲートドライバ駆動用データ及びソースドライバ駆動用データを生成する。
【００３４】
また、表示装置１９は、複数の画素がアレイ状に形成された電気泳動表示体２０、つまり電力の供給がなくなってもそれまでの表示内容をそのまま表示し続ける表示体を中央に有し、その電気泳動表示体２０の平面視左側には、ゲートドライバ２１が配され、平面視上側には、ソースドライバ２２が配されている。そして、ディスプレイコントローラ１８から出力されるゲートドライバ駆動用データ及びソースドライバ駆動用データに従って、任意の画素に前記所定の電圧をゲートドライバ２１及びソースドライバ２２が印加し、コンテンツの画像を電気泳動表示体２０に表示する。また、コンテンツの画像を電気泳動表示体２０に表示させる動作が完了すると表示完了信号をＣＰＵ２に出力する。
【００３５】
また、タッチパネルＩ／Ｏ２４は、電気泳動表示体２０の前面側を覆うように配されたタッチパネル２３が接続されている。そして、タッチパネル２３が押圧操作されると操作位置を示すタッチパネル信号をＣＰＵ２に出力する。
【００３６】
さらに、カウンタ時間比較回路２６は、ＣＰＵ２からカウント開始信号が出力されると経過時間のカウントを開始するカウンタ回路２５が接続されている。そして、カウンタ回路２５でカウントされる経過時間が所定時間（例えば、３分）より大きくなると時間経過信号をＣＰＵ２に出力する。
【００３７】
また、電源制御回路２７は、ＣＰＵ２から電源供給一部遮断信号（後述）が出力されると、リセットボタン７、折り畳み状態検出回路９、ディスプレイコントローラ１８、カウンタ回路２５及びカウンタ時間比較回路２６の電源を除いた全ての電源を遮断状態とする。また、ＣＰＵ２から電源供給完全遮断信号（後述）が出力されると、全ての電源を遮断状態とする。
【００３８】
さらに、電源制御回路２７は、ＣＰＵ２から電源供給一部再開信号（後述）が出力されると、ディスプレイコントローラ１８及び表示装置１９への電源の供給を再開する。なお、ＶＲＡＭ１７が揮発性ＲＡＭで構成されている場合には、ＶＲＡＭ１７への電源の供給も再開する。
【００３９】
次に、次ページのコンテンツあるいは、前ページのコンテンツが表示されてから所定時間が経過したときに、電気泳動表示体２０に表示されているコンテンツを消去するためのコンテンツ時間消去処理を、図４のフローチャートに従って説明する。このコンテンツ時間消去処理は、次ページのコンテンツあるいは、前ページのコンテンツを表示させるための操作が行われたときに実行される処理であって、まずそのステップＳ１０１では、表示装置１９から表示完了信号が出力されているか否かを判定し、出力されている場合には（Ｙｅｓ）ステップＳ１０２に移行し、出力されていない場合には（Ｎｏ）この判定を再び実行する。
【００４０】
次にステップＳ１０２に移行して、カウンタ回路２５にカウント開始信号を出力すると共に、電源制御回路２７に電源供給一部遮断信号を出力する。
【００４１】
次にステップＳ１０３に移行して、カウンタ時間比較回路２６から時間経過信号が出力されているか否かを判定し、出力されている場合には（Ｙｅｓ）ステップＳ１０４に移行し、出力されていない場合には（Ｎｏ）この判定を再び実行する。
【００４２】
前記ステップＳ１０４では、ディスプレイコントローラ１８及び表示装置１９に電源の供給が開始されるように電源制御回路２７に電源供給一部再開信号を出力する。
【００４３】
次にステップＳ１０５に移行し、ディスプレイコントローラ１８に表示リセット信号を出力する。
【００４４】
次にステップＳ１０６では、電源制御回路２７に電源供給完全遮断信号を出力してから、この演算処理を終了する。
【００４５】
次に、表示装置１９の温度が動作保証温度範囲外となったときに、電気泳動表示体２０に表示されているコンテンツを消去するためのコンテンツ温度消去処理を、図５のフローチャートに従って説明する。このコンテンツ温度消去処理は、所定時間（例えば、１０msec.）が経過するたびに実行される処理であって、まずそのステップＳ２０１では、電圧温度変換部１３で検出された表示装置１９の温度を読み出す。
【００４６】
次にステップＳ２０２では、内部ＲＯＭ１４に格納されている動作保証温度範囲のデータを読み出す。
【００４７】
次にステップＳ２０３では、前記ステップＳ２０１で読み出された温度が前記ステップＳ２０２で読み出された動作保証温度範囲外であるか否かを判定し、動作保証温度範囲外である場合には（Ｙｅｓ）ステップＳ２０４に移行し、動作保証温度範囲内である場合には（Ｎｏ）この演算処理を終了する。
【００４８】
前記ステップＳ２０４では、ディスプレイコントローラ１８に表示リセット信号を出力する。
【００４９】
次にステップＳ２０５に移行して、電源制御回路２７に電源供給完全遮断信号を出力してから、この演算処理を終了する。
【００５０】
次に、本実施形態の電子ブックリーダ１の動作を具体的状況に基づいて説明する。
【００５１】
まず、次ページのコンテンツを表示させるための操作を利用者が行い、次ページのコンテンツが電気泳動表示体２０に表示されたとする。すると、ＣＰＵ２によって、コンテンツ時間消去処理が実行され、図４に示すように、まずそのステップＳ１０１の判定が「Ｎｏ」となる。また、ステップＳ１０２で、カウンタ回路２５にカウント開始信号が出力されると共に、電源制御回路２７に電源供給一部遮断信号が出力され、ステップＳ１０３の判定が「Ｎｏ」となり、この判定が繰り返し実行される。そして、カウンタ回路２５によって経過時間のカウントが開始されると共に、電源制御回路２７によって、リセットボタン７、折り畳み状態検出回路９、ディスプレイコントローラ１８、カウンタ回路２５及びカウンタ時間比較回路２６の電源を除いた全ての電源が遮断状態とされる。
【００５２】
上記ステップＳ１０３の判定が繰り返し実行されるうちに、カウンタ回路２５によってカウントされる経過時間が３分より大きくなり、カウンタ時間比較回路２６によって、時間経過信号がＣＰＵ２に出力されたとする。すると、前記ステップＳ１０３の判定が「Ｙｅｓ」となり、ステップＳ１０４で、電源制御回路２７に電源供給一部再開信号が出力される。そして、電源制御回路２７によって、ディスプレイコントローラ１８及び表示装置１９への電源の供給が再開される。
【００５３】
また、ステップＳ１０５で、ディスプレイコントローラ１８に表示リセット信号が出力され、ステップＳ１０６で、電源制御回路２７に電源供給完全遮断信号が出力される。そして、ディスプレイコントローラ１８によって、ゲートドライバ駆動用データ及びソースドライバ駆動用データが生成され、表示装置１９の表示面が一色で塗りつぶされる。また、電源制御回路２７によって、全ての電源が遮断状態とされる。
【００５４】
このように本実施形態の電子ブックリーダ１によれば、例えば、コンテンツを表示させているときに、コンテンツが表示されてからの経過時間が３分より大きくなると、電気泳動表示体２０の表示状態が閲覧困難な表示状態とされる。そのため、コンテンツを表示させた状態で、表示装置を放置しておいたとしても、表示させていたコンテンツが他人に容易に見られてしまうことを防止することができる。
【００５５】
一方、表示装置１９の温度が動作保証温度範囲より低いときに、比較回路１５によって、コンテンツ温度消去処理が実行されたとする。すると、図５に示すように、まずそのステップＳ２０１で、表示装置１９の温度が読み出され、ステップＳ２０２で、動作保証温度範囲のデータが読み出される。また、ステップＳ２０３での判定が「Ｙｅｓ」となり、ステップＳ２０４で、ディスプレイコントローラ１８に表示リセット信号が出力され、ステップＳ２０５で、電源制御回路２７に電源供給完全遮断信号が出力される。
【００５６】
このように本実施形態の電子ブックリーダ１によれば、コンテンツを表示させているときに、表示装置１９の温度が動作保証温度範囲外となると、電気泳動表示体２０の表示状態が閲覧困難な表示状態とされる。そのため、表示装置１９の温度が動作保証温度範囲外となり、記憶性表示体の表示状態を変更できなくなったとしても、表示させていたコンテンツが他人に容易に見られてしまうことを防止することができる。
【００５７】
一方、利用者が表示リセットボタン７を押下操作したとする。すると、Ｉ／Ｏ８によって、ディスプレイコントローラ１８に表示リセット信号が出力され、ディスプレイコントローラ１８によって、ゲートドライバ駆動用データ及びソースドライバ駆動用データが生成され、表示装置１９の表示面が一色で塗りつぶされる。
【００５８】
このように本実施形態の電子ブックリーダ１によれば、例えば、コンテンツを表示させているときに、利用者が表示リセットボタン７を押下操作することによって、電気泳動表示体２０の表示状態を閲覧困難な表示状態とすることができる。そのため、任意のタイミングで表示状態を変更することができ、表示させていたコンテンツが他人に容易に見られてしまうことを防止することができる。
【００５９】
一方、利用者が電子ブックリーダ１を折り畳んだとする。すると、折り畳み状態検出回路９によって、ディスプレイコントローラ１８に表示リセット信号が出力され、ディスプレイコントローラ１８によって、ゲートドライバ駆動用データ及びソースドライバ駆動用データが生成され、表示装置１９の表示面が一色で塗りつぶされる。
【００６０】
このように本実施形態の電子ブックリーダ１によれば、例えば、コンテンツを表示させているときに、表示装置１９が折り畳まれると、電気泳動表示体２０の表示状態が閲覧困難な表示状態とされ、表示させていたコンテンツが他人に容易に見られてしまうことを防止することができる。
【００６１】
一方、外部のネットワークから取得されたコンテンツが電気泳動表示体２０に表示されているときに、外部のネットワークとの通信が切断状態とされたとする。すると、通信制御部１１によって、ディスプレイコントローラ１８に表示リセット信号を出力され、ディスプレイコントローラ１８によって、ゲートドライバ駆動用データ及びソースドライバ駆動用データが生成され、表示装置１９の表示面が一色で塗りつぶされる。
【００６２】
このように本実施形態の電子ブックリーダ１によれば、コンテンツをネットワークから取得し、その取得されたコンテンツを表示させているときに、ネットワークとの通信が切断されると、電気泳動表示体２０の表示状態が閲覧困難な表示状態とされ、表示させていたコンテンツが他人に容易に見られてしまうことを防止することができる。
【００６３】
なお、上記実施形態によれば、図２の温度検出回路１２及び図３の電圧温度変換部１３が温度検出手段を構成し、以下同様に、図２の温度検出回路１２、ディスプレイコントローラ１８、表示装置１９及び図３の比較検出回路１５が第１表示状態制御手段を構成し、図２のカウンタ回路２２が経過時間検出手段を構成し、図２のカウンタ時間比較回路２３、ディスプレイコントローラ１８、表示装置１９が第２表示状態制御手段を構成し、図２の表示リセットボタン７、Ｉ／Ｏ８、ディスプレイコントローラ１８、表示装置１９が第３表示状態制御手段を構成し、図２の折り畳み動作検出回路９が折り畳み検出手段を構成し、図２の折り畳み動作検出回路９、ディスプレイコントローラ１８、表示装置１９及び図３の比較検出回路１５が第４表示動作制御手段を構成し、図２の通信制御部１１が切断検出手段を構成し、図２の通信制御部１１、ディスプレイコントローラ１８、表示装置１９及び図３の比較検出回路１５が第５表示動作制御手段を構成する。
【００６４】
また、本発明の表示装置は、上記実施の形態の内容に限定されるものではなく、本発明の趣旨を逸脱しない範囲で適宜変更可能である。
【００６５】
例えば、電子ブックのコンテンツを表示させる表示体として電気泳動表示体２０を用いる例を示したが、これに限られるものではなく、例えば、コレステリック液晶パネル等、その他の記憶性表示体を用いるようにしてもよい。
【図面の簡単な説明】
【００６６】
【図１】本発明の電子ブックリーダの概略構成図である。
【図２】図１の電子ブックリーダの内部構成を示すブロック図である。
【図３】図２の温度検出回路の内部構成を示すブロック図である。
【図４】コンテンツ時間消去処理を示すフローチャートである。
【図５】コンテンツ温度消去処理を示すフローチャートである。
【符号の説明】
【００６７】
１は電子ブックリーダ、２はＣＰＵ、３はＲＡＭ、４はＲＯＭ、５はページ送りボタン、６はページ戻しボタン、７は表示リセットボタン、８はＩ／Ｏ、９は折り畳み状態検出回路、１０は無線通信装置、１１は通信制御部、１２は温度検出回路、１３は電圧温度変換部、１４は内部ＲＯＭ、１５は比較回路、１６はサーミスタ、１７はＶＲＡＭ、１８はディスプレイコントローラ、１９は表示装置、２０は電気泳動表示体、２１はゲートドライバ、２２はソースドライバ、２３はタッチパネル、２４はタッチパネルＩ／Ｏ、２５はカウンタ回路、２６はカウンタ時間比較回路、２７は電源制御回路、２８はバス
【図１】
2005215498.tif 000003
【図２】
2005215498.tif 000004
【図３】
2005215498.tif 000005
【図４】
2005215498.tif 000006
【図５】
2005215498.tif 000007